(57)【要約】【課題】コネクタの防水を、なるべく簡易な構成のカバー部材によって実現できること。【解決手段】ワイヤーハーネス１は、電線束２１とコネクタ２２とを備えるコネクタ付電線２とカバー部材３とを備える。カバー部材３は、電線束２１に応じた形状からコネクタ２２の外周部に応じた大きさへ拡張するように弾性変形可能なチューブ状部材３０によって形成されている。そして、カバー部材３は、チューブ状部材３０の一方側端部３１が電線束２１の外周部に接した状態で電線束２１を囲む電線カバー部３３とされ、チューブ状部材３０のうち電線カバー部３３よりもコネクタ２２の先端側の部分が、電線カバー部３３側に曲げ返されると共に、コネクタ２２の少なくとも一部を覆うように変形可能なコネクタカバー部３４とされている。【選択図】図１
2016062675.tif 000002
【特許請求の範囲】
【請求項１】
複数の電線を含む電線束と前記電線束の端部に接続されたコネクタとを備えるコネクタ付電線と、
前記電線束に応じた形状から前記コネクタの外周部に応じた大きさへ拡張するように弾性変形可能なチューブ状部材によって形成され、前記チューブ状部材の一方側端部が前記電線束の外周部に接した状態で前記電線束を囲む電線カバー部とされ、前記チューブ状部材のうち前記電線カバー部よりも前記コネクタの先端側の部分が、前記電線カバー部側に曲げ返されると共に、前記コネクタの少なくとも一部を覆うように変形可能なコネクタカバー部とされた、カバー部材と、
を備える、ワイヤーハーネス。
【請求項２】
請求項１に記載のワイヤーハーネスであって、
前記電線束の外径が、自然状態の前記チューブ状部材の内径よりも大きい、ワイヤーハーネス。
【請求項３】
請求項１又は請求項２に記載のワイヤーハーネスであって、
前記コネクタカバー部が丸められている、ワイヤーハーネス。
【請求項４】
請求項３に記載のワイヤーハーネスであって、
前記コネクタカバー部が、前記電線束における前記コネクタとの接続部分の手前の部分の周囲に設けられている、ワイヤーハーネス。
【請求項５】
請求項１から請求項４のいずれか１項に記載のワイヤーハーネスであって、
前記コネクタカバー部が、前記コネクタの全体を覆うように変形可能である、ワイヤーハーネス。
【請求項６】
請求項５項に記載のワイヤーハーネスであって、
前記カバー部材が、前記コネクタに接続される相手側コネクタ及び相手側コネクタに接続された複数の相手側電線を覆うことが可能な長さである、ワイヤーハーネス。
【請求項７】
請求項５項に記載のワイヤーハーネスであって、
前記カバー部材が、前記コネクタに接続される相手側機器コネクタの少なくとも一部を覆うことが可能な長さである、ワイヤーハーネス。
【発明の詳細な説明】
【技術分野】
【０００１】
本発明は、電線と電線の端部に接続されたコネクタとを備えるワイヤーハーネスに関する。
【背景技術】
【０００２】
自動車等の車両に搭載されるワイヤーハーネスにおいて、複数の電線とこの複数の電線の端部に接続されたコネクタとを備えるものがある。また、ワイヤーハーネスが、コネクタの防水を目的として、コネクタの周囲を覆う保護部材（被覆部材）を備えることがある。
【０００３】
例えば、特許文献１に示されるワイヤーハーネスは、互いに嵌合する第一コネクタ及び第二コネクタを備える。また、特許文献１に示される例において、ワイヤーハーネスは、被覆部材として第一コネクタ側に設けられた第一保護カバー及び第二コネクタ側に設けられた第二保護カバーを備える。
【０００４】
特許文献１に示される例においては、第一保護カバー及び第二保護カバーの一方が、第一コネクタ又は第二コネクタの外周面で他方の外側に重なることにより、第一コネクタと第二コネクタとの嵌合部分の周囲を覆う。
【先行技術文献】
【特許文献】
【０００５】
【特許文献１】特開２０１０−１６５５２３号公報
【発明の概要】
【発明が解決しようとする課題】
【０００６】
ところで、特許文献１に示される例において、保護カバーは、コネクタの外周面に沿った筒形状のコネクタ保護部と、電線群の外周面に沿った円筒形状とした電線保護部とを備えた形状とされている。このため、コネクタ及び電線群の大きさ又は形状に合わせた複雑な形状の保護カバーを準備しておく必要がある。
【０００７】
そこで、本発明は、コネクタの防水を、なるべく簡易な構成のカバー部材によって実現できることを目的とする。
【課題を解決するための手段】
【０００８】
第１態様に係るワイヤーハーネスは、複数の電線を含む電線束と前記電線束の端部に接続されたコネクタとを備えるコネクタ付電線と、前記電線束に応じた形状から前記コネクタの外周部に応じた大きさへ拡張するように弾性変形可能なチューブ状部材によって形成され、前記チューブ状部材の一方側端部が前記電線束の外周部に接した状態で前記電線束を囲む電線カバー部とされ、前記チューブ状部材のうち前記電線カバー部よりも前記コネクタの先端側の部分が、前記電線カバー部側に曲げ返されると共に、前記コネクタの少なくとも一部を覆うように変形可能なコネクタカバー部とされた、カバー部材と、を備える。
【０００９】
第２態様に係るワイヤーハーネスは、第１態様に係るワイヤーハーネスの一態様である。第２態様に係るワイヤーハーネスにおいては、前記電線束の外径が、自然状態の前記チューブ状部材の内径よりも大きい。
【００１０】
第３態様に係るワイヤーハーネスは、第１態様又は第２態様に係るワイヤーハーネスの一態様である。第３態様に係るワイヤーハーネスにおいては、前記コネクタカバー部が丸められている。
【００１１】
第４態様に係るワイヤーハーネスは、第３態様に係るワイヤーハーネスの一態様である。第４態様に係るワイヤーハーネスにおいては、前記コネクタカバー部が、前記電線束における前記コネクタとの接続部分の手前の部分の周囲に設けられている。
【００１２】
第５態様に係るワイヤーハーネスは、第１態様から第４態様のいずれか１つに係るワイヤーハーネスの一態様である。第５態様に係るワイヤーハーネスにおいては、前記コネクタカバー部が、前記コネクタの全体を覆うように変形可能である。
【００１３】
第６態様に係るワイヤーハーネスは、第５態様に係るワイヤーハーネスの一態様である。第６態様に係るワイヤーハーネスにおいては、前記カバー部材が、前記コネクタに接続される相手側コネクタ及び相手側コネクタに接続された複数の相手側電線を覆うことが可能な長さである。
【００１４】
第７態様に係るワイヤーハーネスは、第５態様に係るワイヤーハーネスの一態様である。第７態様に係るワイヤーハーネスにおいては、前記カバー部材が、前記コネクタに接続される相手側機器コネクタの少なくとも一部を覆うことが可能な長さである。
【発明の効果】
【００１５】
上記の各態様において、ワイヤーハーネスは、コネクタ付電線とカバー部材とを備える。カバー部材は、電線束に応じた形状からコネクタの外周部に応じた大きさへ拡張するように弾性変形可能なチューブ状部材によって形成されている。そして、カバー部材は、チューブ状部材の一方側端部が電線束の外周部に接した状態で電線束を囲む電線カバー部とされ、チューブ状部材のうち電線カバー部よりもコネクタの先端側の部分が、電線カバー部側に曲げ返されると共に、コネクタの少なくとも一部を覆うように変形可能なコネクタカバー部とされている。この場合、カバー部材が、電線束に応じた形状からコネクタの外周部に応じた大きさへ拡張するように弾性変形可能なチューブ状部材によって形成されていることにより、電線束の形状等に関わらず、カバー部材を電線束に取り付け、電線束の外周部に電線カバー部が接した状態を作ることができる。また、カバー部材のコネクタカバー部における曲げ返された部分の曲げを伸ばし、コネクタに被せる作業を行うことで、コネクタカバー部がコネクタの外周部に接した状態を作ることができる。即ち、上記の各態様においては、カバー部材が電線束に応じた形状からコネクタの外周部に応じた大きさへ拡張するように弾性変形可能なチューブ状部材によって形成されているため、コネクタ及び電線束の大きさ又は形状等によって逐一カバー部材の形状を変更することが不要となる。これにより、コネクタの防水を、なるべく簡易な構成のカバー部材によって行うことが可能となる。
【００１６】
また、第２態様において、電線束の外径が、自然状態のチューブ状部材の内径よりも大きい。この場合、チューブ状部材の弾性変形によって、カバー部材の電線カバー部が、より強く電線束の外周部に接する。そのため、ワイヤーハーネスの止水性能が向上する。
【００１７】
また、第３態様において、コネクタカバー部が丸められている。この場合、例えば、コネクタ付電線と相手側部材との接続作業時において、コネクタカバー部が要するスペースをより小さくすることができる。
【００１８】
また、第４態様において、コネクタカバー部が、電線束におけるコネクタとの接続部分の手前の部分の周囲に設けられている。この場合、コネクタを直接支持して、コネクタと別の部材との接続作業を行うことができる。
【００１９】
また、第５態様において、コネクタカバー部が、コネクタの全体を覆うように変形可能である。この場合、電線束とコネクタとの接続部分を含むより広い領域を止水することができる。
【００２０】
また、第６態様において、カバー部材が、コネクタに接続される相手側コネクタ及び相手側コネクタに接続された複数の相手側電線を覆うことが可能な長さである。この場合、カバー部材で相手側コネクタの防水も可能となり、２つのコネクタを一括して止水処理を行うことができる。
【００２１】
また、第７態様において、カバー部材が、コネクタに接続される相手側機器コネクタの少なくとも一部を覆うことが可能な長さである。この場合、コネクタと相手側機器コネクタとの接続部分もカバー部材で止水することができ、２つのコネクタを一括して止水処理を行うことができる。
【図面の簡単な説明】
【００２２】
【図１】第１実施形態に係るワイヤーハーネスの一部切り欠き側面図である。
【図２】第１実施形態に係るワイヤーハーネスの一部切り欠き側面図である。
【図３】第１実施形態に係るワイヤーハーネスの一部切り欠き側面図である。
【図４】第１実施形態に係るワイヤーハーネスの一部切り欠き側面図である。
【図５】第１実施形態に係るワイヤーハーネスの側面図である。
【図６】第２実施形態に係るワイヤーハーネスの一部切り欠き側面図である。
【図７】第２実施形態に係るワイヤーハーネスの一部切り欠き側面図である。
【発明を実施するための形態】
【００２３】
以下、添付の図面を参照しながら、本発明の実施形態について説明する。以下の実施形態は、本発明を具現化した一例であり、本発明の技術的範囲を限定する事例ではない。
【００２４】
＜第１実施形態＞
図１〜５を参照しつつ、第１実施形態に係るワイヤーハーネス１について説明する。ワイヤーハーネス１は、コネクタ付電線２とカバー部材３とを備える。図１は、ワイヤーハーネス１の一部切り欠き側面図である。
【００２５】
＜ワイヤーハーネス：コネクタ付電線＞
ワイヤーハーネス１において、コネクタ付電線２は、電線束２１とコネクタ２２とを備えている。
【００２６】
電線束２１は、複数の電線２１０を含む。電線２１０は、例えば、銅又はアルミニウム等の金属を主成分とする線材である芯線とこの芯線の周囲を覆う絶縁被覆とを備える絶縁電線であることが考えられる。絶縁被覆は、例えば、ポリエチレン、塩化ビニル又はポリアミド系ナイロンなどを主成分とする合成樹脂の部材である。
【００２７】
コネクタ２２は、電線束２１の端部に接続されている。本実施形態では、コネクタ２２には、電線束２１を構成する複数の電線２１０各々の端部を収容可能なキャビティが形成されていることが考えられる。また、電線２１０の端部に端子が接続されており、電線２１０とコネクタ２２とが端子を介して接続されていることも考えられる。
【００２８】
コネクタ２２は、例えば、ポリブチレンテレフタレート（ＰＢＴ）又はＡＢＳ樹脂などの絶縁性の樹脂材料で構成されている。また、コネクタ２２は、電線２１０の端部に接続された端子をキャビティ内で固定する固定構造を備えていることが考えられる。
【００２９】
＜ワイヤーハーネス：カバー部材＞
カバー部材３は、電線束２１に応じた大きさからコネクタ２２の外周部に応じた大きさへ拡張するように弾性変形可能なチューブ状部材３０によって形成されている。なお、本実施形態において、コネクタ２２の外周部とは、コネクタ２２における外周面を含む部分である。即ち、コネクタ２２の外周部は、コネクタ２２において、コネクタ２２に接続される電線束２１を保護する部分である。
【００３０】
また、カバー部材３は、電線カバー部３３とコネクタカバー部３４とを含む。カバー部材３において、チューブ状部材３０の一方側端部３１が電線束２１の外周部に接した状態で電線束２１を囲む部分が、電線カバー部３３とされている。また、カバー部材３において、チューブ状部材３０のうち電線カバー部３３よりもコネクタの先端側の部分が電線カバー部３３側に曲げ返されるとともに、コネクタ２２の少なくとも一部を覆うように変形可能な部分が、コネクタカバー部３４とされている。なお、チューブ状部材３０のうち電線カバー部３３よりもコネクタの先端側の部分とは、チューブ状部材３０における一方側端部３１に対し反対側の他方側端部３２から電線カバー部３３とコネクタカバー部３４との境界までの部分でもある。
【００３１】
電線カバー部３３において、カバー部材３が電線束２１の外周部に接する。即ち、電線束２１の外周部は、カバー部材３に接する部分である。電線束２１の外周部は、複数の電線２１０の外周面の一部によって構成される。例えば、電線束２１の外周部は、電線束２１に含まれる全ての電線２１０の外周面の一部によって構成される場合又は電線束２１に含まれる一部の電線２１０の外周面の一部によって構成される場合が考えられる。
【００３２】
また、電線束２１における電線カバー部３３に覆われる部分に、電線束２１における電線２１０間の隙間を埋める充填剤は設けられている場合も考えられる。また、充填剤によって、充填剤を伴う電線束２１に対するカバー部材３の密着の度合が、より高まる場合も考えられる。
【００３３】
また、本実施形態においては、電線束２１の外径が、自然状態のチューブ状部材３０の内径よりも大きい。なお、自然状態のチューブ状部材３０とは、外力が加えられていない状態のチューブ状部材３０のことを意味する。図２には、自然状態のチューブ状部材３０が、仮想線（二点鎖線）で示されている。なお、図２では、便宜上、コネクタカバー部３４が設けられた状態のチューブ状部材３０が示されている。図２においては、チューブ状部材３０における電線カバー部３３の内径が、自然状態において、電線束２１の外径よりも大きいことが示されている。
【００３４】
本実施形態においては、チューブ状部材３０の中空部が拡大するように変形させられ、その拡大した中空部に電線束２１が挿通された後、中空部を拡大させる力が取り除かれ、チューブ状部材３０の弾性変形によって、チューブ状部材３０の内側面が電線束２１の外周部に接した状態となる。例えば、チューブ状部材３０は、自然状態において、電線束２１の外径よりも内径が小さい弾性チューブであることが考えられる。また、さらに、チューブ状部材３０が、同径の部分が全長に亘って連続するチューブである場合も考えられる。この場合、例えば、同径の部分が全長に亘って連続する比較的長い弾性チューブから、カバー部材３に必要な長さ分だけ切り取ることにより、カバー部材３を形成するチューブ状部材３０を得ることができる。
【００３５】
また、カバー部材３は、カバー部材３を形成するチューブ状部材３０が弾性を有する範囲において、その中空部を拡大させることが可能である。即ち、カバー部材３は、チューブ状部材３０が弾性を有する範囲で、その中空部に収容できる大きさの電線束２１及びコネクタ２２を備えるコネクタ付電線２に対して適用できる。即ち、形状又は大きさ等が異なる複数種類のコネクタ２２及び電線束２１に対しても、このカバー部材３を適用することができ、汎用性に優れている。
【００３６】
カバー部材３は、例えば、樹脂材料によって構成された弾性変形可能な部材であることが考えられる。カバー部材３を構成する樹脂としては、例えば、ＰＥ（ポリエチレン）、ＰＶＣ（ポリ塩化ビニル）、シリコン又はエラストマー系フッ素樹脂等が考えられる。
【００３７】
また、本実施形態において、コネクタカバー部３４は、丸められている。即ち、図１に示されるように、本実施形態では、コネクタカバー部３４は、電線カバー部３３から反り返った部分を含んでいる。以下、コネクタカバー部３４における電線カバー部３３に隣接する部分であり、電線カバー部３３から反り返った部分を、反り返り部３４１と称する。
【００３８】
また、本実施形態では、カバー部材３において、丸められたコネクタカバー部３４と電線カバー部３３との間の部分が、電線束２１におけるコネクタ２２との接続部分の手前の部分の周囲に設けられている。なお、本実施形態では、カバー部材３のコネクタカバー部３４における反り返り部３４１も、電線束２１におけるコネクタ２２との接続部分の手前の部分の周囲に設けられ、コネクタカバー部３４も電線束２１におけるコネクタ２２との接続部分の手前の部分の周囲に設けられている。即ち、図１に示される例のように、反り返り部３４１が、コネクタ２２に接触しない位置で、電線束２１におけるコネクタ２２との接続部分の手前の部分の周囲に設けられている。しかしながら、反り返り部３４１が、コネクタ２２の一部に重なる位置に設けられている場合も考えられる。即ち、コネクタカバー部３４がコネクタ２２の周囲に設けられている場合も考えられる。この場合、反り返り部３４１における内側面は、コネクタ２２の外周面の一部に接触していることが考えられる。
【００３９】
また、本実施形態において、丸められたコネクタカバー部３４は、カバー部材３における電線カバー部３３の周囲に設けられている。図１では、丸められたコネクタカバー部３４は、カバー部材３の電線カバー部３３の周囲を覆うリング状の形態で設けられている。例えば、図１では、丸められた状態のコネクタカバー部３４において、チューブ状部材３０の開口縁、即ち、他方側端部３２の縁が、丸められたコネクタカバー部３４における最も外側の部分と最も内側の部分との間の中心に位置し、チューブ状部材３０の長手方向に沿う断面において、渦巻き状となるようにコネクタカバー部３４が丸められている。しかしながら、チューブ状部材３０の他方側端部３２の縁が、丸められた状態のコネクタカバー部３４の最も外側の部分と最も内側の部分との中心に位置しない場合又は丸められたコネクタカバー部３４が一周以上巻かれていない場合等も考えられる。
【００４０】
また、図１に示される例では、説明の便宜上、丸められたコネクタカバー部３４は、電線カバー部３３の外周面に対し間隔を空けて設けられている。即ち、コネクタカバー部３４は、電線カバー部３３の外周面に接触していない状態で、電線カバー部３３の周囲に設けられている。しかしながら、丸められたコネクタカバー部３４は、丸められたコネクタカバー部３４の一部が電線カバー部３３の外周面に接触した状態で、電線カバー部３３の周囲に設けられていると考えられる。
【００４１】
また、図１で示される例では、説明の便宜上、チューブ状部材３０の内側の面と外側の面とが接触していない。しかしながら、コネクタカバー部３４は、チューブ状部材３０の内側面と外側面とが接触した状態で丸められていると考えられる。
【００４２】
また、本実施形態では、丸められたコネクタカバー部３４は、電線カバー部３３の一方側端部３１よりもコネクタ２２の先端側に設けられている。しかしながら、丸められたコネクタカバー部３４が一方側端部３１の周囲に設けられている場合、或いは、丸められたコネクタカバー部３４のコネクタ２２の先端側に一方側端部３１が位置している場合も考えられる。
【００４３】
カバー部材３は、例えば、コネクタカバー部３４が予め丸められた状態で、コネクタ付電線２の電線束２１に取り付けられる場合が考えられる。また、コネクタカバー部３４が伸ばされた状態、即ち、丸められていない状態で、コネクタ付電線２の電線束２１に取り付けられ、その後、丸められる場合も考えられる。
【００４４】
本実施形態では、カバー部材３におけるコネクタカバー部３４が、丸められた状態から伸ばされることによって、カバー部材３が、電線束２１及びコネクタ２２を覆うチューブ状の部材に変形する。
【００４５】
カバー部材３は、上述のように、カバー部材３を形成するチューブ状部材３０が弾性を有する範囲で、チューブ状部材３０の中空部が、電線束２１を覆うことが可能な大きさからコネクタ２２を覆うことが可能な大きさへ拡張するように変形可能な部材である。そして、カバー部材３の中空部に、電線束２１とコネクタ２２との接続部分が、収容されることにより止水される。即ち、カバー部材３は、一方側端部３１から他方側端部３２までの長さが、少なくとも電線束２１とコネクタ２２との接続部分を覆うことが可能な長さである部材であることが考えられる。また、カバー部材３が長手方向においても伸縮可能なチューブ状部材３０で形成されている場合も考えられる。この場合、カバー部材３は、長手方向に伸ばされその伸ばされた状態が維持されるときの一方側端部３１から他方側端部３２までに亘る長さが、電線束２１とコネクタ２２との接続部分を覆うことが可能な長さである部材であることが考えられる。なお、自然状態におけるチューブ状部材３０の一方側端部３１から他方側端部３２の長さが、電線束２１とコネクタ２２との接続部分を覆うことが可能な長さであることがより好ましい。電線束２１とコネクタ２２との接続部分をより確実に覆うことができるためである。
【００４６】
＜ワイヤーハーネス＞
本実施形態において、コネクタ付電線２のコネクタ２２は、相手側コネクタ付電線９の相手側コネクタ９２に接続される。相手側コネクタ付電線９は、相手側コネクタ９２と相手側コネクタ９２に接続された複数の相手側電線９１とを含む。そして、本実施形態においては、カバー部材３を形成するチューブ状部材３０は、コネクタ２２に接続される相手側コネクタ９２及び相手側コネクタ９２に接続された複数の相手側電線９１を覆うことが可能な長さである。
【００４７】
図３〜５は、コネクタ付電線２に相手側コネクタ付電線９が接続されたワイヤーハーネス１の一部切り欠き側面図である。図３では、コネクタカバー部３４が丸められた状態のカバー部材３を備えるワイヤーハーネス１が示されている。図４では、コネクタカバー部３４が伸ばされた状態のカバー部材３を備えるワイヤーハーネス１が示されている。図５では、コネクタカバー部３４が伸ばされたカバー部材３を備え、さらに、カバー部材３の一方側端部３１及び他方側端部３２にテープ部材８が設けられるワイヤーハーネス１が示されている。
【００４８】
本実施形態では、まず、コネクタ付電線２のコネクタ２２と相手側コネクタ付電線９の相手側コネクタ９２とが接続される。なお、この接続作業の前において、カバー部材３のコネクタカバー部３４が、丸められてリング状の形態で設けられているため、このワイヤーハーネス１に必要な保管スペースの省スペース化を図ることができる。
【００４９】
そして、コネクタ付電線２と相手側コネクタ付電線９とが接続された後、チューブ状部材３０のうち電線カバー部３３よりもコネクタ２２の先端側の部分である部分が電線カバー部３３側に曲げ返されたコネクタカバー部３４が伸ばされることによって、コネクタ付電線２の電線束２１とコネクタ２２との接続部分及び相手側コネクタ付電線９の相手側コネクタ９２と複数の相手側電線９１との接続部分がカバー部材３によって覆われる。この場合、１つのカバー部材３のコネクタカバー部３４を伸ばす作業により、２つのコネクタの止水処理を一括で行うことが可能となる。なお、以下、カバー部材３に覆われ、止水が必要なコネクタ付電線２の電線束２１とコネクタ２２との接続部分及び相手側コネクタ付電線９の相手側コネクタ９２と複数の相手側電線９１との接続部分を含む領域を止水必要領域と称する。
【００５０】
即ち、本実施形態において、カバー部材３の一方側端部３１から他方側端部３２までの長さは、止水必要領域よりも長いことが考えられる。例えば、自然状態におけるカバー部材３の長さが、止水必要領域よりも長いことが考えられる。また、カバー部材３が長手方向においても伸縮可能なチューブ状部材３０で形成されている場合、カバー部材３は、長手方向に伸ばされその伸ばされた状態が維持されるときの一方側端部３１から他方側端部３２までに亘る長さが、止水必要領域を覆うことが可能な長さである部材であることが考えられる。なお、自然状態におけるチューブ状部材３０の一方側端部３１から他方側端部３２の長さが、止水必要領よりも長いことがより好ましい。止水必要領域をより確実に覆うことができるためである。
【００５１】
また、相手側コネクタ９２及びコネクタ２２のうちの一方が他方に嵌り込む構造によって、コネクタ２２と相手側コネクタ９２との接続状態が維持される場合、電線カバー部３３とコネクタカバー部３４との間の部分が、電線束２１におけるコネクタ２２との接続部分の手前の部分の周囲に設けられていることにより、コネクタ２２と相手側コネクタ９２との嵌合作業をより簡易に行うことができる。なお、図３〜５に示される例は、コネクタ２２よりも相手側コネクタ９２の方が小さく、コネクタ２２に相手側コネクタ９２が嵌り込んで、コネクタ２２と相手側コネクタ９２とが接続されている場合の事例である。
【００５２】
例えば、図３〜５に示されるように、反り返り部３４１も電線束２１におけるコネクタ２２との接続部分の手前の部分の周囲に設けられている場合、作業者は、コネクタ２２を直接支持して嵌合作業を行うことができる。
【００５３】
また、コネクタ２２に相手側コネクタ９２が嵌り込む場合、即ち、コネクタ２２の内側に相手側コネクタ９２が収容される場合において、反り返り部３４１がコネクタ２２の周囲に設けられていることも考えられる。この場合、コネクタ２２の外周面には、反り返り部３４１の内周面が接していることが考えられる。この場合でも、作業者は、コネクタ２２及び相手側コネクタ９２の嵌合面の位置を確認しながら嵌合作業を行うことができる。また、他方のコネクタの周囲を覆う側のコネクタ（コネクタ２２）の外周面に設けられたカバー部材３は、コネクタ同士の嵌合作業を阻害しない。
【００５４】
また、相手側コネクタ９２の内側にコネクタ２２が収容されて、コネクタ２２と相手側コネクタ９２とが接続されている場合も考えられる。このとき、反り返り部３４１が電線束２１におけるコネクタ２２との接続部分の手前の部分の周囲に設けられていると、コネクタ２２における相手側コネクタ９２に収容される部分にカバー部材３が存在しない状態で、コネクタ２２と相手側コネクタ９２との嵌合作業を行うことができる。
【００５５】
また、相手側コネクタ９２との嵌合状態を持続させるためのロック構造が、コネクタ２２の外周面に設けられている場合がある。この場合、反り返り部３４１が電線束２１におけるコネクタ２２との接続部分の手前の部分の周囲に設けられていると、カバー部材３がコネクタ２２のロック構造に干渉することなく、コネクタ２２と相手側コネクタ９２との嵌合作業を行うことができる。
【００５６】
また、本実施形態においては、丸められたコネクタカバー部３４の丸めが全部伸ばされた状態で、チューブ状のカバー部材３が、止水必要領域を覆っている。カバー部材３は、一方側端部３１で内側の電線束２１を締め付けるようにして、コネクタ付電線２に取り付けられている。また、他方側端部３２では、複数の相手側電線９１を締め付けるようにして取り付けられている。
【００５７】
また、図５に示されるように、さらに、カバー部材３の一方側端部３１及び他方側端部３２に、テープ部材８が巻き付けられている場合も考えられる。この場合、一方側端部３１において、カバー部材３と電線束２１とがより密着し、また、他方側端部３２において、カバー部材３と相手側電線束とがより密着する。なお、テープ部材８の一方の面には、粘着層が形成されていることが考えられる。そして、図５に示される例では、テープ部材８における粘着層を内側にして、カバー部材３の一方側端部３１及び他方側端部３２に巻き付けられることが考えられる。もっとも、テープ部材８が一方側端部３１及び他方側端部３２に設けられない場合も考えられる。
【００５８】
＜第２実施形態＞
次に、図６，７を参照しつつ、第２実施形態に係るワイヤーハーネス１Ａについて説明する。本実施形態において、ワイヤーハーネス１Ａに含まれるコネクタ２２には、相手側機器コネクタ９Ａが接続される。図６，７は、コネクタ付電線２のコネクタ２２に相手側機器コネクタ９Ａが接続されたワイヤーハーネス１Ａの一部切り欠き側面図である。図６では、コネクタカバー部３４が丸められた状態のカバー部材３Ａを備えるワイヤーハーネス１Ａが示されている。図７では、コネクタカバー部３４が伸ばされた状態のカバー部材３Ａを備えるワイヤーハーネス１Ａが示されている。なお、図６，７において、図１〜５に示される構成要素と同じ構成要素は、同じ参照符号が付されている。
【００５９】
本実施形態において、カバー部材３Ａは、コネクタ２２に接続される相手側機器コネクタ９Ａの少なくとも一部を覆うことが可能な長さである。以下、本実施形態における第１実施形態と異なる点について説明する。
【００６０】
ワイヤーハーネス１Ａに含まれるコネクタ２２は、相手側機器コネクタ９Ａが接続される。相手側機器コネクタ９Ａは、例えば、車両に搭載される電装機器７に直接接続されるコネクタであることが考えられる。なお、図６，７において、電装機器７は、仮想線（二点鎖線）で示されている。
【００６１】
本実施形態では、ワイヤーハーネス１Ａのコネクタ２２が、相手側機器コネクタ９Ａに接続される。そして、コネクタ２２と相手側機器コネクタ９Ａとが接続された状態で、カバー部材３Ａのコネクタカバー部３４が伸ばされる。
【００６２】
コネクタカバー部３４が伸ばされた状態において、カバー部材３Ａは、電線束２１とコネクタ２２との接続部分及び相手側機器コネクタ９Ａの少なくとも一部を覆う。即ち、本実施形態では、カバー部材３Ａは、電線束２１とコネクタ２２との接続部分及びコネクタ２２と相手側機器コネクタ９Ａとの接続部分を含む止水必要領域を覆うことが可能な長さである。本実施形態においても、第１実施形態と同様、自然状態におけるカバー部材３Ａの一方側端部３１から他方側端部３２までの長さが、止水必要領域よりも長いことが好ましい。なお、カバー部材３Ａが長手方向においても伸縮可能なチューブ状部材３０で形成されている場合、長手方向に伸ばされその伸ばされた状態が維持されるときの一方側端部３１から他方側端部３２までに亘る長さが、止水必要領域を覆うことが可能な長さであることも考えられる。
【００６３】
また、本実施形態では、カバー部材３Ａは、コネクタカバー部３４の一部（他方側端部３２を含む部分）が丸められた形態で、止水必要領域を覆っている。即ち、本実施形態においては、止水必要領域の長さよりも、カバー部材３Ａの一方側端部３１から他方側端部３２までの長さの方が長く、カバー部材３Ａにおける止水必要領域を覆う部分の余剰の部分が、丸められている。また、このようなカバー部材３Ａは、自然状態において他方側端部３２側の部分が丸められた形状を有するチューブ状部材３０で形成された部材であることも考えられる。
【００６４】
＜応用例＞
カバー部材３が、電線束２１及びコネクタ２２の外周面になるべく密着することが可能な柔軟な部材であることが好ましい。この場合、カバー部材３の一方側端部３１で電線束２１により密着する。もっとも、カバー部材３の中空部において、部分的に隙間が形成されていてもよい。
【００６５】
なお、本発明に係るワイヤーハーネスは、各請求項に記載された発明の範囲において、以上に示された各実施形態及び応用例を自由に組み合わせること、或いは、各実施形態及び応用例を適宜、変形する又は一部を省略することによって構成されることも可能である。
【符号の説明】
【００６６】
１  ワイヤーハーネス
２  コネクタ付電線
２１  電線束
２１０  電線
２２  コネクタ
３  カバー部材
３０  チューブ状部材
３１  一方側端部
３３  電線カバー部
３４  コネクタカバー部
【図１】
2016062675.tif 000003
【図２】
2016062675.tif 000004
【図３】
2016062675.tif 000005
【図４】
2016062675.tif 000006
【図５】
2016062675.tif 000007
【図６】
2016062675.tif 000008
【図７】
2016062675.tif 000009